(57)【要約】【課題】上階部分と下階部分との間に天井懐が介在する建物において、木製筋交を用いた間仕切り壁に十分な壁耐力を付与できると共に、耐火性能を向上させることのできる耐力壁構造を提供する。【解決手段】上階部分４０と下階部分４１との間に天井懐４２が介在する建物４５において採用され、下階部分４１の間仕切り壁４４に形成される耐力壁構造１０であって、天井下地材４８の取付け面に近接して配置されたファイヤーストップ横架材１２ｂを含む上下一対の横架材１２ｂ，１２ｃと、左右一対の柱材１１ａ，１１ｂとによる壁用枠体４９の内側に、木製筋交１４を設置し、且つ天井懐４２における左右一対の柱材１１ａ，１１ｂと、ファイヤーストップ横架材１２ｂと、床梁１２ａとによる懐部枠体５０を両側から覆うようにして、耐力面材５１を取り付けることによって構成される。【選択図】図２
2010053662.tif 000002
【特許請求の範囲】
【請求項１】
梁、根太等の横架材によって支持されてこれらの上方に床下地材が、これらの下方に天井下地材が各々取り付けられることにより、上階部分と下階部分との間に天井懐が介在する建物において採用され、下階部分の少なくとも一部の間仕切り壁に形成される建物の耐力壁構造であって、
該耐力壁構造は、天井下地材の取付け面に近接して配置されたファイヤーストップ横架材を含む上下一対の横架材と、左右一対の柱材とによる壁用枠体の内側に、木製筋交を設置し、且つ前記天井懐における前記左右一対の柱材と、前記ファイヤーストップ横架材と、床梁とによる懐部枠体を両側から覆うようにして、耐力面材を、これの周縁部を前記左右一対の柱材、前記ファイヤーストップ横架材、及び前記床梁に固定して、前記間仕切り壁に取り付けることによって構成されている建物の耐力壁構造。
【請求項２】
前記木製筋交は、一対の単位筋交からなり、各単位筋交は、一端部が一方の柱材と前記上下一対の横架材との接合角部に各々接合されると共に、他端部が他方の柱材の中間部分に各々接合されて、該他方の柱材と共にＫ字形状を形成する筋交である請求項１に記載の建物の耐力壁構造。
【請求項３】
前記左右一対の柱材と、前記ファイヤーストップ横架材と、前記床梁とによる前記懐部枠体の内側には、前記懐部枠体の両側から取り付けられた前記耐力面材によって挟まれて、断熱材が充填収容されている請求項１又は２に記載の建物の耐力壁構造。
【請求項４】
下階部分における少なくとも一部の間仕切り壁が、請求項１〜３の何れかに記載の耐力壁構造を備えており、
建物の外壁が、上下一対の横架材と、左右一対の柱材とによる壁用枠体に、外側から壁下地用耐力面材を取り付けてなる耐力壁構造を備えている建物。
【請求項５】
下階部分における全ての間仕切り壁が、請求項１〜３の何れかに記載の耐力壁構造を備えている請求項４に記載の建物。
【請求項６】
前記壁下地用耐力面材が、間隔をおいて平行に配置された複数の表側帯状小幅板と、間隔をおいて平行に配置された複数の裏側帯状小幅板とを互いに交差させた状態で接合一体化してなる壁下地パネルによって構成される請求項４又は５に記載の建物。
【発明の詳細な説明】
【技術分野】
【０００１】
本発明は、建物の耐力壁構造及び建物に関し、特に上階部分と下階部分との間に天井懐が介在する建物において採用され、下階部分の少なくとも一部の間仕切り壁に形成される建物の耐力壁構造及び該耐力壁構造を備える建物に関する。
【背景技術】
【０００２】
例えば木造住宅建築物等の建物の壁構造として、柱や縦枠等からなる一対の柱材と、梁や土台等からなる一対の横架材とによる壁用枠体の内側に、木製筋交を取り付けることによって、壁耐力を向上させた耐力壁構造が知られている（例えば、特許文献１参照）。木製筋交を取り付けた耐力壁構造では、木製筋交の少なくとも一方の端部は、一般に、柱材と床梁との接合角部や、柱材と土台との接合角部に接合されることになるが、上階部分の床部と下階部分の天井部との間に天井懐が介在する建物においては、特に省令準耐火仕様の構造とする際に、間仕切り壁と天井懐との取り合い部分で一方の内部に侵入した火災が容易に他方に侵入しないようにするためのファイヤーストップ横架材を、天井下地材の取付け面に近接して設ける場合があり、このファイヤーストップ横架材と柱材の接合角部に、木製筋交の上端部が接合されることになる。
【特許文献１】特開２０００−１０４３４２号公報
【発明の開示】
【発明が解決しようとする課題】
【０００３】
しかしながら、上階部分と下階部分との間に天井懐が介在する建物においては、特に省例準耐火仕様とするためのファイヤーストップ横架材は、建物の主たる骨組である床梁とは離れてこれの下方に設けられることから、木製筋交によって効率良く荷重を支持することができなくなり、十分な壁耐力が得られなくなる場合がある。また、上階部分と下階部分との間に天井懐が介在する建物においては、天井懐の内部に侵入した火災を水平方向に容易に拡大させないようにすることにより、耐火性能をさらに向上させることができるものと考えられる。
【０００４】
本発明は、このような従来の課題に着目してなされたものであり、上階部分と下階部分との間に天井懐が介在する建物において、木製筋交を用いた間仕切り壁に十分な壁耐力を付与できると共に、耐火性能を向上させることのできる建物の耐力壁構造及び建物を提供することを目的とする。
【課題を解決するための手段】
【０００５】
本発明は、梁、根太等の横架材によって支持されてこれらの上方に床下地材が、これらの下方に天井下地材が各々取り付けられることにより、上階部分と下階部分との間に天井懐が介在する建物において採用され、下階部分の少なくとも一部の間仕切り壁に形成される建物の耐力壁構造であって、該耐力壁構造は、天井下地材の取付け面に近接して配置されたファイヤーストップ横架材を含む上下一対の横架材と、左右一対の柱材とによる壁用枠体の内側に、木製筋交を設置し、且つ前記天井懐における前記左右一対の柱材と、前記ファイヤーストップ横架材と、床梁とによる懐部枠体を両側から覆うようにして、耐力面材を、これの周縁部を前記左右一対の柱材、前記ファイヤーストップ横架材、及び前記床梁に固定して、前記間仕切り壁に取り付けることによって構成されている建物の耐力壁構造を提供することにより、上記目的を達成したものである。
【０００６】
また、本発明の木製筋交の角部取付け構造は、前記木製筋交が、一対の単位筋交からなり、各単位筋交は、一端部が一方の柱材と前記上下一対の横架材との接合角部に各々接合されると共に、他端部が他方の柱材の中間部分に各々接合されて、該他方の柱材と共にＫ字形状を形成する筋交であることが好ましい。
【０００７】
さらに、本発明の木製筋交の角部取付け構造は、前記左右一対の柱材と、前記ファイヤーストップ横架材と、前記床梁とによる前記懐部枠体の内側には、前記懐部枠体の両側から取り付けられた前記耐力面材によって挟まれて、断熱材が充填収容されていることが好ましい。
【０００８】
また、本発明は、下階部分における少なくとも一部の間仕切り壁が、上記の耐力壁構造を備えており、建物の外壁が、上下一対の横架材と、左右一対の柱材とによる壁用枠体に、外側から壁下地用耐力面材を取り付けてなる耐力壁構造を備えている建物を提供することにより、上記目的を達成したものである。
【０００９】
そして、本発明の建物は、下階部分における全ての間仕切り壁が、上記の耐力壁構造を備えていることが好ましい。
【００１０】
また、本発明の建物は、前記壁下地用耐力面材が、間隔をおいて平行に配置された複数の表側帯状小幅板と、間隔をおいて平行に配置された複数の裏側帯状小幅板とを互いに交差させた状態で接合一体化してなる壁下地パネルによって構成されていることが好ましい。
【発明の効果】
【００１１】
本発明の建物の耐力壁構造又は建物によれば、上階部分と下階部分との間に天井懐が介在する建物において、木製筋交を用いた間仕切り壁に十分な壁耐力を付与できると共に、耐火性能を向上させることができる。
【発明を実施するための最良の形態】
【００１２】
図１及び図２に示す本発明の好ましい一実施形態に係る建物の耐力壁構造１０は、上階部分４０と下階部分４１との間に天井懐４２が介在する建物４５として、例えば木造住宅建築物等の建物の間仕切り壁４４に、木製筋交１４を取付けて耐力壁としての所望の壁耐力が得られるようにすると共に、間仕切り壁４４と天井懐４２との取り合い部分に、例えば省例準耐火仕様として十分な耐火性能が得られるようにするために採用されたものである。
【００１３】
そして、本実施形態の建物の耐力壁構造１０は、床梁１２ａ、根太（図示せず）等の横架材によって支持されてこれらの上方に床下地材４７が、これらの下方に天井下地材４８が各々取り付けられることにより、上階部分４０と下階部分４１との間に天井懐４２が介在する建物４５において採用され、下階部分４１の少なくとも一部の間仕切り壁４４に形成される壁構造であって、天井下地材４８の取付け面に近接して配置されたファイヤーストップ横架材１２ｂを含む上下一対の横架材１２ｂ，１２ｃと、左右一対の柱材１１ａ，１１ｂとによる壁用枠体４９の内側に、木製筋交１４を設置し、且つ天井懐４２における左右一対の柱材１１ａ，１１ｂと、ファイヤーストップ横架材１２ｂと、床梁１２ａとによる懐部枠体５０を両側から覆うようにして、耐力面材５１を、これの周縁部を左右一対の柱材１１ａ，１１ｂ、ファイヤーストップ横架材１２ｂ、及び床梁１２ａに固定して、間仕切り壁４４に取り付けることによって構成されている。
【００１４】
また、本実施形態では、木製筋交１４は、一対の単位筋交１４ａ，１４ｂからなり、各単位筋交１４ａ，１４ｂは、一端部が一方の柱材１１ａと上下一対の横架材１２ｂ，１２ｃとの接合角部１３ａ，１３ｂに各々接合されると共に、他端部が他方の柱材１１ｂの中間部分に各々接合されて、他方の柱材１１ｂと共にＫ字形状を形成する筋交となっている。
【００１５】
本実施形態では、建物４５は、例えば省例準耐火仕様の木造住宅建築物であり、これの屋根部５２は、不燃材料等で葺くか又は造られている。また、建物４５の軒裏部５３や外壁５４もまた、防火構造となっている。これらによって、外部火災による延焼を効果的に防止することができるようになっている。
【００１６】
また、建物４５の内部の間仕切り壁によって仕切られる各居住部は、これらの天井面や内壁面等が、せっこうボードや気密シート等による防火被覆５５によって覆われている。これによって、例えば下階部分４１の内部火災による、隣室や上階部分４０、或いは外部への延焼を抑制できるようになっている。
【００１７】
さらに、本実施形態では、例えば下階部分４１の防火被覆５５が突破された時の急激な火災の拡大を抑制するために、外壁５４と天井懐４２との取り合い部分においては、外壁５４の内壁面に設けられた防火被覆５５が床梁１２ａまで張り上げられるようになっている。また間仕切り壁４４と天井懐４２との取り合い部分においては、せっこうボード等による天井下地材４８の取付け面に近接して配置されるファイヤーストップ横架材１２ｂが、間仕切り壁４４の上部を閉塞するようにして設けられている。
【００１８】
そして、本実施形態の耐力壁構造１０は、このファイヤーストップ横架材１２ｂと下方の土台による横架材１２ｃとを上下一対の横架材として、図２に示すように、これらの横架材１２ｂ，１２ｃと左右一対の柱材１１ａ，１１ｂとによる壁用枠体４９の内側に、木製筋交１４を取り付けると共に、天井懐４２における左右一対の柱材１１ａ，１１ｂと、ファイヤーストップ横架材１２ｂと、床梁１２ａとによる懐部枠体５０の両側に、耐力面材５１（図１参照）を取り付けることによって構成されている。なお、本実施形態では、ファイヤーストップ横架材１２ｂは、間柱３１の上端を受ける間柱受上材を兼ねるようになっている。
【００１９】
本実施形態では、木製筋交１４は、上述のように、一対の単位筋交１４ａ，１４ｂによって構成されている。各単位筋交１４ａ，１４ｂは、例えば１０５ｍｍ×３８ｍｍの矩形断面形状を有する木製部材である。単位筋交１４ａ，１４ｂは、各々、その端部が、後述する一対の接合金物２０と、ボルト締着金物２１と、柱引寄せボルト１５とからなる角部取付け金物（図３参照）を用いて、一方の柱材１２ａと上下一対の横架材１２ｂ，１２ｃとの接合角部１３ａ，１３ｂに接合されると共に、その他端部が、一方の柱材１２ａと対向する他方の柱材１２ｂの中間部分に、中間部接合金物２６を介して接合され、他方の柱材１２ｂと一対の単位筋交１４ａ，１４ｂとによってＫ字形状を形成するようになっている。
【００２０】
ここで、角部取付け金物を構成する一対の接合金物２０は、各々、図３に示すように、例えば複数のビス締着孔が形成された柱接合面部１７及び筋交接合面部１８と、これらの接合面部１７，１８に対して垂直に接合されて、これらの接合面部１７，１８と共に互いに垂直な３面を形成する当接面部２２とからなり、金属プレートに切断加工、折曲げ加工、孔空け加工等を施すことによって容易に形成することができる。一対の接合金物２０は、柱接合面部１７を一方の柱材１１ａに固定ビス等を介して接合固定することにより、筋交接合面部１８を平行に張り出させた状態で接合角部１３ａ，１３ｂに取り付けられる。接合金物２０には、木製筋交１４（単位筋交１４ａ，１４ｂ）の端部が、一対の筋交接合面部１８の間に挟み込まれた状態で、固定ビス２５等を介して両側の筋交接合面部１８に接合されて、取り付けられるようになっている。
【００２１】
角部取付け金物を構成するボルト締着金物２１は、ボルト締着孔が中央部分に開口形成された略矩形形状の平坦な締着部２１ａと、締着部２１ａの両側の長辺部分から垂直に折れ曲って設けられた一対の第１係止脚部２１ｂと、締着部２１ａの両側の短辺部分から垂直に折れ曲って設けられた一対の第２係止脚部２１ｃとからなり、金属プレートに切断加工、折曲げ加工、孔空け加工等を施すことによって容易に形成することができる。ボルト締着金物２１は、一対の接合金物２０の横架材１２ｂ，１２ｃとは反対側の筋交接合面部１８の縁部に、これらの間に一対の第１係止脚部２１ｂを差し込むと共に、一対の第２係止脚部２１ｃによってこれらを両側から挟み込むようにして幅止め係止した状態で載置することにより、一方の柱材１１ａと木製筋交１４（単位筋交１４ａ）が接合される部分との中間部において、両側の筋交接合面部１８に跨るようにして取り付けられる。
【００２２】
角部取付け金物を構成する柱引寄せボルト１５は、一端部がコンクリート基礎に埋設固定された状態で用いられるアンカーボルトや、上下階の間の床部や天井部を貫通した状態で用いられる両端に雄ネジ部を備える両ネジボルト等の、引寄せボルトとして公知の種々のボルト部材を用いることができる。柱引寄せボルト１５は、横架材１２ｂ，１２ｃを貫通して配設されると共に、端部をボルト締着金物２１のボルト締着孔に挿通し、座金２３やナット部材２４を用いてボルト締着金物２１に締着されることになる。この締着力によって、一方の柱材１２ａは、固定ビス等を用いて当該一方の柱材１２ａに固定された一対の接合金物２０及びボルト締着金物２１を介して、横架材１２ａ，１２ｂ側に引き寄せられることになる。
【００２３】
一方の柱材１２ａと対向する他方の柱材１２ｂの中間部分に単位筋交１４ａ，１４ｂの他端部を接合するための中間部接合金物２６は、図１に示すように、複数のビス締着孔が設けられた柱接合面部と筋交接合面部２９とからなるＬ字断面形状を有しており、金属プレートに切断加工、折曲げ加工、孔空け加工等を施すことによって容易に形成することができる。中間部接合金物２６は、他方の柱材１２ｂの中間部分において、固定ビス等を介して柱接合面部を他方の柱材１１ｂに接合固定することにより、筋交接合面部２９を内側に張り出させた状態で取り付けられる。また中間部接合金物２６の筋交接合面部２９には、単位筋交１４ａ，１４ｂの他端部が固定ビス等を介して固定されることになる。
【００２４】
なお、木製筋交１４が、一対の単位筋交１４ａ，１４ｂによって構成されていて、他方の柱材１２ｂと共にＫ字形状を形成する筋交となっていることにより、いわゆるけさ掛け状又はたすき掛け状に取り付けられる筋交と比較して、壁耐力をさらに向上させることが可能になる。
【００２５】
本実施形態では、天井懐４２において、左右一対の柱材１１ａ，１１ｂと、ファイヤーストップ横架材１２ｂと、床梁１２ａとによる懐部枠体５０の両側に取り付けられる耐力面材５１は、例えば厚さが１２．５ｍｍ程度の合板からなり、懐部枠体５０の内側の中空内部の大きさよりも大きな矩形平面形状を有している。耐力面材５１は、懐部枠体５０の内側の中空内部を覆うようにして、両側に一対取り付けられるようになっており（図１参照）、４方の周縁部分を左右一対の柱材１１ａ，１１ｂ、ファイヤーストップ横架材１２ｂ、及び床梁１２ａに重ね合わせると共に、これらに向けて例えば固定ビスを複数打ち込むことにより、懐部枠体５０に一体として固定される。
【００２６】
懐部枠体５０の両側に耐力面材５１を取り付けることにより、壁用枠体４９の内側に取り付けられた木製筋交１４による作用と相俟って、間仕切り壁４４の壁耐力を効果的に向上させることができ、間仕切り壁４４を所望の壁耐力を備える耐力壁として機能させることが可能になる。
【００２７】
また、懐部枠体５０の両側に取り付けられた耐力面材５１は、天井懐４２の内部の空間を間仕切り壁４４に沿って区画することになり、これによって天井懐４２に侵入した火災が容易に水平方向に拡大しないようにする、ファイヤーストップ材としての機能を発揮することが可能になる。
【００２８】
さらに、本実施形態では、懐部枠体４９の内側の中空内部には、これの両側に取り付けられた耐力面材５１によって挟まれるようにして、例えばグラスウールからなる断熱材５６が充填収容されている。懐部枠体４９の内側に断熱材５６が充填収容されていることにより、懐部枠体５０の両側に取り付けられた耐力面材５１によるファイヤーストップ材としての機能を、さらに向上させることが可能になる。
【００２９】
そして、本実施形態によれば、建物４５は、図１に示すように、外壁５４の内部には、例えばグラスウールからなる断熱材５７を充填収容する必要があり、筋交が邪魔になるため外壁５４に筋交を取り付けて耐力壁構造とすることができないことから、外壁５４については、上下一対の横架材と、左右一対の柱材とによる壁用枠体に、外側から壁下地用耐力面材５８を取り付けることによって耐力壁構造を備えるようになっている。これによって、建物４５は、建物全体として優れた断熱性能を耐火性能とを備えることになる。
【００３０】
また、本実施形態では、壁下地用耐力面材５８が、間隔をおいて平行に配置された複数の表側帯状小幅板と、間隔をおいて平行に配置された複数の裏側帯状小幅板とを、互いに交差させた状態で接合一体化してなる壁下地パネルによって構成されている。このような壁下地パネルとしては、例えば特開２０００−１６０７３２号公報に記載のパネル部材と同様の構成を備えるものを使用することができる。壁下地用耐力面材５８としてこのような壁下地パネルを用いることにより、当該壁下地用耐力面材５８を通気層として機能させることが可能になると共に、相反する方向に傾斜させた各帯状小幅板を筋交いのように機能させて、構造用耐力部材としての所望の強度を効率良く得ることが可能になる。
【００３１】
さらに、本実施形態では、建物４５における下階部分４１の全ての間仕切り壁４４が、上述の壁用枠体４９に取り付けた木製筋交１４と、懐部枠体５０に取り付けた耐力面材５１とによる耐力壁構造４６を備えていることが好ましい。下階部分４１における全ての間仕切り壁４４が上述の耐力壁構造４６を備えていることにより、間仕切り壁４４の規格を統一することが容易になって、建物全体として優れた断熱性能を耐火性能とを備える建物４５を、効率良く形成することが可能になる。
【００３２】
そして、上述の構成を備える本実施形態に耐力壁構造１０や建物４５によれば、上階部分４０と下階部分４１との間に天井懐４２が介在する建物４５において、木製筋交１４を用いた間仕切り壁４４に十分な壁耐力を付与できると共に、耐火性能を向上させることができる。
【００３３】
すなわち、本実施形態によれば、間仕切り壁４４の耐力壁構造１０は、ファイヤーストップ横架材１２ｂを含む上下一対の横架材１２ｂ，１２ｃと、左右一対の柱材１１ａ，１１ｂとによる壁用枠体４９の内側に、木製筋交１４を設置し、且つ天井懐４２における左右一対の柱材１１ａ，１１ｂと、ファイヤーストップ横架材１２ｂと、床梁１２ａとによる懐部枠体５０を両側から覆うようにして、耐力面材５１を取り付けることによって構成されているので、これらの作用が相俟って十分な壁耐力が得られると共に、ファイヤーストップ横架材１２ｂ及び耐力面材５１によって防火被覆５５が突破された際の急激な火災の拡大を効果的に抑制して、耐火性能を向上させることが可能になる。
【００３４】
なお、本発明は上記実施形態に限定されることなく種々の変更が可能である。例えば、木製筋交は一対の単位筋交からなるものである必要は必ずしも無く、けさ掛け状やたすき掛け状に取り付けられた木製筋交であっても良い。また、外壁に取り付けられる壁下地用耐力面材は、間隔をおいて平行に配置された複数の表側帯状小幅板と、間隔をおいて平行に配置された複数の裏側帯状小幅板とを互いに交差させた状態で接合一体化してなる壁下地パネルにである必要は必ずしもない。
【図面の簡単な説明】
【００３５】
【図１】本発明の好ましい一実施形態に係る耐力壁構造が採用された建物の要部断面図である。
【図２】本発明の好ましい一実施形態に係る耐力壁構造の構成を説明する、図１のＡ−Ａに沿った防火被覆を取付ける前の状態の正面図である。
【図３】図２のＢ部拡大斜視図である。
【符号の説明】
【００３６】
１０  耐力壁構造
１１ａ，１１ｂ  柱材
１２ａ  床梁（横架材）
１２ｂ  ファイヤーストップ横架材（横架材）
１２ｃ  土台（横架材）
１３ａ，１３ｂ  接合角部
１４  木製筋交
１４ａ，１４ｂ  単位筋交
１５  柱引寄せボルト
２０  接合金物
２１  ボルト締着金物
２６  中間部接合金物
４０  上階部分
４１  下階部分
４２  天井懐
４４  間仕切り壁
４５  建物
４７  床下地材
４８  天井下地材
４９  壁用枠体
５０  懐部枠体
５１  耐力面材
５４  外壁
５５  防火被覆
５６  断熱材
５８  壁下地用耐力面材
【図１】
2010053662.tif 000003
【図２】
2010053662.tif 000004
【図３】
2010053662.tif 000005